(57)【特許請求の範囲】
【請求項１】
リール本体に支持されたハンドル軸の回転により，ロータに設けた釣糸係止部材でスプールに釣糸を巻回するように構成すると共に，スプール軸の後端部に設けた摺動子に形成された係合長孔に係合する係合ピンを有する従動歯車を前記ハンドル軸に設けた連動歯車に噛合させ，前記ハンドル軸の回転に連動して前記スプール軸を往復動させるオシレート機構により前記釣糸を前記スプールに巻回するようにした魚釣用スピニングリールにおいて，
前記従動歯車を，前記係合ピンを有する本体歯車とその裏側に重合するバックラッシュ除去歯車から構成して該両歯車を付勢バネで円周方向に付勢し，前記連動歯車の歯部を，前記本体歯車と前記バックラッシュ除去歯車との歯部とで弾発挟持し，前記オシレート機構の往復動の切換時における前記連動歯車と前記従動歯車との間の衝撃を吸収緩和したことを特徴とする魚釣用スピニングリール。
【発明の詳細な説明】
【０００１】
【発明の属する技術分野】
この発明は，釣糸をスプールに均等に振分け巻回するための魚釣用スピニングリールに関する。
【０００２】
【従来の技術】
魚釣用リール，例えば，魚釣用スピニングリールにおける釣糸をスプールに均等に振分け巻回するスプールのオシレート機構は，釣糸巻取り機構と噛合歯車によって連結され，ハンドルの回動で連動するように構成されており，前記噛合歯車にはその噛合いを良好かつスムースにするためにバックラッシュ（クリアランス）と呼ばれる噛み合いガタが必ず設定されているのが現状である。
【０００３】
【発明が解決しようとする課題】
ところが，魚釣用スピニングリールにおけるオシレート機構はスプールを設けたスプール軸を軸方向に往復動せしめてローターで係止した釣糸をスプールに振分け巻回するようにしたものであるから，スプール，スプール軸，摺動子等の往復動部材の総重量はかなりの重さを有し，この重量や釣糸巻取り中の張力によってオシレート機構の往復運動中に前記噛合歯車に作用する荷重はその往復動の切換作用を境として往動作と復動作とでは異なる面に加わり，このときに前記バックラッシュが原因となって前記荷重のかかる歯面が往復運動の切換わる度毎にコトコトという異音と振動が発生する不具合を生ずると共にこの      切換時の噛合歯車同士の歯面の衝接により歯部が傷み易く長期に亘り使用するとハンドルの回動時にゴリゴリ感を発生せしめ釣人に不快な異和感を与えたり，歯車の強度低下の原因となったりする欠陥がある。
【０００４】
この発明の目的は，魚釣用リールの釣糸平行巻き装置における前記のような欠陥を改善して釣糸の巻取り操作の円滑化と噛合歯車の耐久性を向上するようにした魚釣用スピニングリールを提供することである。
【０００５】
【課題を解決しようとするための手段】
この発明は，上記の目的を達成するために，リール本体に支持されたハンドル軸の回転により，ロータに設けた釣糸係止部材でスプールに釣糸を巻回するように構成すると共に，スプール軸の後端部に設けた摺動子に形成された係合長孔に係合する係合ピンを有する従動歯車を前記ハンドル軸に設けた連動歯車に噛合させ，前記ハンドル軸の回転に連動して前記スプール軸を往復動させるオシレート機構により前記釣糸を前記スプールに巻回するようにした魚釣用スピニングリールにおいて，
前記従動歯車を，前記係合ピンを有する本体歯車とその裏側に重合するバックラッシュ除去歯車から構成して該両歯車を付勢バネで円周方向に付勢し，前記連動歯車の歯部を，前記本体歯車と前記バックラッシュ除去歯車との歯部とで弾発挟持し，前記オシレート機構の往復動の切換時における前記連動歯車と前記従動歯車との間の衝撃を吸収緩和したことを特徴とする魚釣用スピニングリールに関する。
前記オシレート機構としては，アイドルギャ方式使用する場合とトラバースカム軸方式を使用する場合とがある。
【０００６】
また，バックラッシュ除去歯車は釣糸平行巻き装置側の噛合歯車である従動歯車にもうけても，釣糸巻取り機構側の噛合歯車である連動歯車に設けても差支えなく，更にバックラッシュ除去歯車を重合した噛合歯車との間にはバリ等による作動不良を防止するためにスペーサーを介在せしめることが好ましい。
【０００７】
【発明の実施の形態】
以下，図面を参照して，この発明による魚釣用スピニングリールの実施例について説明する。この魚釣用スピニングリールは，スピニングリールのリール本体１に支持されたハンドル軸２にはリール本体１内において駆動歯車３と連動歯車４とが固着され，前記駆動歯車３は公知のようにローター５を回動するピニオンを介してハンドル軸２の回転によりローター５に設けた釣糸係止部材６で釣糸を係止してスプール７に巻回するように構成されると共に，前記スプール７に設けられたスプール軸８後端部には係合長孔９を有する摺動子１０が固着され，リール本体１に軸支されかつ前記係合長孔９係合する係合ピン１１を有する従動歯車１２が前記連動歯車４に噛合しており，前記ハードル軸２の回動に連動としてスプール軸８を軸方向と往復動させ釣糸をスプール７に振分け巻回する釣糸平行巻き装置Ａを形成している。
【０００８】
しかして，従動歯車１２は，本体歯車１３とその裏側に重合された同形状の歯を有するバックラッシュ除去歯車１４とからなり，重合部分に夫々切欠孔部１３′，１４′に形成され，該切欠孔部１３′，１４′に付勢バネ１５が嵌着され，その両端部は夫々保持部１３″，１４″で支持されて円周方向に付勢しており，連動歯車４との噛合時において付勢バネ１５によって連動歯車４の歯部を本体歯車１３とバックラッシュ除去歯車１４との歯部で弾発挟着し噛み合いガタであるバックラッシュを吸収するように形成されている。
【０００９】
従って，この魚釣用スピニングリールは，ハンドル軸２の回転により連動歯車４とこれに噛合する従動歯車１２との間に形成されている噛み合いガタは，付勢バネ１５の弾発作用によって吸収され，オシレート機構の往復運動の切換時における連動歯車４と従動歯車１２との間の衝撃を吸収緩和してハンドル軸２の回転方向のガタを未然に防止し，釣糸の巻取り操作を円滑かつ軽快に行うことができると共に噛合部の衝撃による歯部の耐久性の低下も軽減することができる。
【００１０】
【発明の効果】
この発明は，魚釣用スピニングリールの釣糸平行巻き装置においてスプールの前後往復動の度毎にスプール軸の連動歯車と係合ピンを有する従動歯車との噛合歯車間に存在しているバックラッシュ（クリアランス）をバネの付勢力で吸収してオシレート機構の往復動切換時に生じるハンドルの回転方向のガタを吸収除去して巻きムラのない円滑かつ軽快な釣糸巻取り操作を行なうことができると共に噛合歯車間の衝撃も緩和防止でき，その耐久性も向上することができる。
【図面の簡単な説明】
【図１】  本発明の一部切欠正面図。
【図２】  同要部の拡大正面図。
【図３】  図２のＩ−Ｉ線断面図。
【図４】  同要部の拡大断面図。
【図５】  同要部の拡大正面図。
【図６】  同要部の拡大図。
【図７】  同要部の分解斜視図。
【図８】  同要部の拡大分解斜視図。
【符号の説明】
１    リール本体
２    ハンドル軸
３    駆動歯車
４    連動歯車
５    ローター
６    釣糸係止部材
７    スプール
８    スプール軸
１０  摺動子
１１  係合ピン
１２  従動歯車
１３  本体歯車
１４  バックラッシュ除去歯車
１５  付勢バネ
Ａ    釣糸平行巻き装置
【図１】
0003817115.tif 000002
【図２】
0003817115.tif 000003
【図３】
0003817115.tif 000004
【図４】
0003817115.tif 000005
【図５】
0003817115.tif 000006
【図６】
0003817115.tif 000007
【図７】
0003817115.tif 000008
【図８】
0003817115.tif 000009